(57)【要約】エレベータシステム（２０）が行先入力式配送技術を用いる。乗客インタフェース装置（２２）が第一のモードで作動して乗客（２４）にエレベータ運行の行先要求を入力させる。乗客インタフェース（２２）が第二のモードで作動して許可された個人に少なくとも１つの追加の機能を提供する。追加の機能は整備関連機能、警備関連機能、監視関連機能、または通信関連機能のうち少なくとも１つであってよい。このような各種機能が開示される。
2008521729.tif 000002
【特許請求の範囲】
【請求項１】
乗客がエレベータかごの外部から所望の行先の指示を入力することができる第一のモードと、許可された個人に少なくとも１つの他の機能を提供する第二のモードと、で作動する乗客インタフェースを有することを特徴とするエレベータシステムの使用に関する装置。
【請求項２】
上記乗客インタフェースが認証信号に応答して上記第二のモードを開始することを特徴とする請求項１記載のエレベータシステムの使用に関する装置。
【請求項３】
上記乗客インタフェースが上記第一のモードにおいて有用な入力部分を含み、かつ上記許可された個人が上記入力部分を用いて上記認証信号を提供することを特徴とする請求項２記載のエレベータシステムの使用に関する装置。
【請求項４】
上記認証信号がアクセスコードを有することを特徴とする請求項３記載のエレベータシステムの使用に関する装置。
【請求項５】
上記乗客インタフェースが上記認証信号を受け取るための認証部分を含むことを特徴とする請求項２記載のエレベータシステムの使用に関する装置。
【請求項６】
上記認証部分が、無線的に発信された信号を受信するための受信機、もしくは近づけられた物品をスキャニングするためのスキャナ、の少なくとも一方を有することを特徴とする請求項５記載のエレベータシステムの使用に関する装置。
【請求項７】
上記乗客インタフェースが第一の認証信号に応答して第一のレベルの第二のモードを開始し、第二の認証信号に応答して第二のレベルの第二のモードを開始することを特徴とする請求項２記載のエレベータシステムの使用に関する装置。
【請求項８】
上記他の機能が、エレベータシステムの選択された部分に関する監視情報を提供することを特徴とする請求項１記載のエレベータシステムの使用に関する装置。
【請求項９】
上記他の機能が、整備手順を容易にすることを特徴とする請求項１記載のエレベータシステムの使用に関する装置。
【請求項１０】
上記整備手順が、選択されたエレベータかごの位置を自動制御することを含むことを特徴とする請求項９記載のエレベータシステムの使用に関する装置。
【請求項１１】
上記整備手順が、かご頂部が選択された乗場階からアクセスできるように、上記選択されたエレベータかごを自動的に位置決めすることを含むことを特徴とする請求項１０記載のエレベータシステムの使用に関する装置。
【請求項１２】
上記整備手順が、上記選択されたエレベータかごを通常運転から少なくとも一時的に除外することを含むことを特徴とする請求項９記載のエレベータシステムの使用に関する装置。
【請求項１３】
上記整備手順が、遠隔に位置するデータベースから情報を得ることを含むことを特徴とする請求項９記載のエレベータシステムの使用に関する装置。
【請求項１４】
上記整備手順が、遠隔に位置する部品供給源にエレベータシステム部品を発注することを含むことを特徴とする請求項９記載のエレベータシステムの使用に関する装置。
【請求項１５】
上記整備手順が、エレベータかごの階から階への移動に対応する時間を決定することを含むことを特徴とする請求項９記載のエレベータシステムの使用に関する装置。
【請求項１６】
上記整備手順が、エレベータかごのドアの開放または閉鎖の少なくとも一方に対応する時間を決定することを含むことを特徴とする請求項９記載のエレベータシステムの使用に関する装置。
【請求項１７】
上記他の機能が、緊急時応答手順を容易にすることを特徴とする請求項１記載のエレベータシステムの使用に関する装置。
【請求項１８】
上記緊急時応答手順が、上記乗客インタフェースと選択されたエレベータかごとの間において交信することを含むことを特徴とする請求項１７記載のエレベータシステムの使用に関する装置。
【請求項１９】
上記緊急時応答手順が、エレベータかごの移動を制御するために乗客インタフェースを用いることを特徴とする請求項１７記載のエレベータシステムの使用に関する装置。
【請求項２０】
上記他の機能は、上記乗客インタフェースを介して得られた選択されたエレベータかごの内部に関する情報に少なくとも部分的に基づいて、上記選択されたエレベータかごのドアの作動を選択的に制御することを特徴とする請求項１記載のエレベータシステムの使用に関する装置。
【請求項２１】
上記乗客インタフェースが上記第一および上記第二のモードで同時に作動することを特徴とする請求項１記載のエレベータシステムの使用に関する装置。
【請求項２２】
上記第二のモードに用いられる発信された無線信号を受信するための受信機を含むことを特徴とする請求項１記載のエレベータシステムの使用に関する装置。
【請求項２３】
乗客に所望の行先の指示を提供するために、乗客インタフェースを上記第一のモードにおいて作動させるステップと、
許可された個人に少なくとも１つの他の機能を提供するために、乗客インタフェースを第二のモードにおいて作動させるステップと、
を含むことを特徴とするエレベータシステムの行先入力用乗客インタフェースの使用方法。
【請求項２４】
上記第二のモードにおいて作動させるステップが、監視手順、整備手順、緊急時応答手順、または警備手順の少なくとも１つを容易にすることを含むことを特徴とする請求項２３記載のエレベータシステムの行先入力用乗客インタフェースの使用方法。
【請求項２５】
上記第二のモードにおいて作動させるステップが、上記乗客インタフェースにおける入力に応答して選択されたエレベータかごの位置を自動的に制御することを含むことを特徴とする請求項２３記載のエレベータシステムの行先入力用乗客インタフェースの使用方法。
【請求項２６】
かご頂部に選択された乗場階からアクセスできるように、選択されたエレベータかごを自動的に位置決めすることを含むことを特徴とする請求項２５記載のエレベータシステムの行先入力用乗客インタフェースの使用方法。
【請求項２７】
上記第一および上記第二のモードを同時に作動させることを含むことを特徴とする請求項２３記載のエレベータシステムの行先入力用乗客インタフェースの使用方法。
【請求項２８】
上記第二のモードにおいて作動させるステップが、少なくとも１つの遠隔に位置する装置と交信するために上記乗客インタフェースを用いることを含むことを特徴とする請求項２３記載のエレベータシステムの行先入力用乗客インタフェースの使用方法。
【発明の詳細な説明】
【技術分野】
【０００１】
本発明は一般にエレベータシステムに関する。特に、本発明は行先入力式エレベータシステムにおいて有用な乗客インタフェースに関する。
【背景技術】
【０００２】
従来のエレベータシステムは、エレベータかごへの乗降口に隣接する、乗客が運行を要求するためのホール呼びボタンに依存している。かごが到着すると、乗客はかごに乗り込み、かご操作パネルを用いて所望の行先を指示する。このようなシステムは多くの状況において有効である。
【０００３】
一部のエレベータシステムは別の構成から利点を得ている。その１つは、いわゆる行先入力技術であり、これは乗客に、所望の行先をかごの外部から入力させることを含む。通常、乗客インタフェースはエレベータロビーに位置しており、乗客がその所望の行先を入力することによって呼びを与えることができる。このような呼びに対応するために、公知のエレベータ割り当て技術が用いられる。
【発明の開示】
【発明が解決しようとする課題】
【０００４】
このような行先入力技術の導入によって、種々の状況においてエレベータ輸送を有効に管理する上での利点が得られる。しかし、一方で、通常のエレベータ作動以外の状況に対して、ある程度複雑となる。例えば、メンテナンスを実施しようとする整備員が、エレベータかご頂部にアクセスしようとしても、今まで使用していた技術を使用することはもはやできない。
【０００５】
ホール呼びボタンを有する従来の構成では、例えば、整備員は選択されたエレベータかごにアクセスするために、ホール呼びボタンを用いることを含む公知の技術を用いることができる。行先入力システムにおいては、通常、ホール呼びボタンは、存在しないか、またはホール呼びボタンが存在する乗場階にエレベータかごが送られると使用不能になる。行先入力に基づくシステムにおいて、例えばエレベータのメンテナンスを容易にするような別の構成が求められている。
【０００６】
整備員にとって、かご頂部へのアクセスを行おうとする乗場階より下の階への行先要求を行うために従来の行先入力システムを用いることは望ましくない。この技術を用いると、所望のかごを捉まえるのに何回もの試行が必要である。さらに、整備員はかごが下降方向に走行しているときにしか、昇降路ドアのロックを解除できない。従来の行先入力システムに基づくエレベータシステムには通常、進行方向の指示装置は付いておらず、これが整備員に不便をもたらす。
【０００７】
行先入力システムにおける整備手順に関する他の困難な点は、整備員が整備を行おうとするかごにすでに割り当てられている乗客が、適当な運行を得るために改めてその行先を入力しなければならない、ということである。
【０００８】
システム構成のいかんに拘わらず、メンテナンスまたは整備手順を容易にするための改良が求められている。従来の構成では、整備員が所望のかごを所望の位置に保持しようとするのに相当長い時間を費やしている。整備員は、例えば、かご頂部に安全にアクセスするのに適当な高さにかごが停まるように、タイミング良く昇降路ドアをロック解除するためには十分な経験を積まなければならない。多くの場合、適当なかご位置となるために何回もの試行が必要である。
【０００９】
本発明は通常のシステム作動以外の各種の手順を容易にするような、エレベータシステムの改良を提供する。
【課題を解決するための手段】
【００１０】
本発明の実施例に対応して設計された例示的な装置は、第一のモードで作動する乗客インタフェースを含み、この第一のモードにおいて乗客はエレベータかごの外部から所望の行先の指示を入力することができる。乗客インタフェースはまた第二のモードで作動して、整備員などの許可された個人に対して少なくとも１つの他の機能を提供する。
【００１１】
一実施例において、乗客インタフェースは認証信号に応答して第二のモードを開始する。個人が乗客インタフェースを第二のモードで利用するのに適当な許可を得ているという指示を与えるのに、種々の認証信号を用いることができる。一実施例においては、第二のモードは種々のレベルのアクセスを含む。例えば、ビルの所有者が第一のレベルの認証によって一定の機能へのアクセスを与えられる一方、整備員は異なる認証レベルを有することにより、より広範な機能へのアクセスが与えられる。
【００１２】
一実施例において、追加の機能は整備手順を容易にすることを含む。各種の整備手順が、第二のモードにある乗客インタフェースを用いて実行されてよい。このような各種手順は、以下に開示される。
【００１３】
他の実施例において、乗客インタフェースは、第一のモードおよび第二のモードで同時に作動し、エレベータかごのうち選択された１つは、通常のシステム作動から除外することができる。一方で、乗客は引き続き乗客インタフェースおよびシステム内の他のエレベータかごを利用することができる。
【００１４】
本発明の様々な特徴および利点が、以下における詳細な説明から当業者にとって明らかとなろう。
【発明を実施するための最良の形態】
【００１５】
図１はエレベータシステム２０の選択された部分を概略的に示している。乗客インタフェース２２によって、乗客２４はエレベータ運行の呼びを与えることができる。乗客インタフェース２２によって、乗客２４は、エレベータかごの１つ２６の外部にいながら所望の行先の指示を与えることができる。
【００１６】
図示された実施例において、乗客２４は入力部分２８を介して所望の行先の指示を与えることができる。一実施例においては入力部分２８はキーパッドを有する。他の実施例においては入力部分はタッチスクリーンを有する。
【００１７】
乗客インタフェース２２で行われた乗客の呼び要求に応答してエレベータかごを割り当てるために、システム制御装置３０は公知の技術を用いる。図示された実施例は、例えば乗客を公知の方法で適当なエレベータかごに誘導するための表示装置部分３２を含む。
【００１８】
乗客が所望の行先を乗客インタフェース２２に入力する場合は、乗客インタフェースは第一のモードで作動している。乗客インタフェース２２およびシステム制御装置３０は、第一のモードで作動しているときは公知の技術を用いる。
【００１９】
さらに、乗客インタフェース２２は第二のモードで作動可能であり、このモードにおいて乗客インタフェースは第一のモードで作動しているときは用いられなかった少なくとも１つの他の機能を提供する。一実施例においては、許可された個人が乗客インタフェース２２を用いて第二の作動モードへのアクセスを得ることができる。許可される個人は、例えば、整備員、技術者、ビル管理者、またはビル所有者を含む。一実施例においては、第二の作動モードにおいて提供される追加機能は、監視機能、整備機能、緊急時応答機能、警備関連機能、または通信機能の少なくとも１つである。各々の実施例は以下に記述される。
【００２０】
一実施例においては、乗客インタフェース２２は適当な認証信号に応答して第二のモードを開始する。一実施例においては、個人が入力部分２８を操作して、例えば認識可能なアクセスコードを入力する。特定用途によっては、パスワードおよび認証コードを、第二の作動モードを開始するために要求してもよい。第二の作動モードが開始された後、乗客インタフェース２２を介して、許可された個人が少なくとも１つの他の機能にアクセスすることができる。この個人は、例えば入力部分２８、または表示装置３２などを用いて、所望の目的を得ることができる。
【００２１】
図示された実施例において、認証部分３４が乗客インタフェース２２に付属している。入力部分２８への入力とは別に、あるいは組み合わせて、認証部分３４は適当な認証信号を受け取ることができる。
【００２２】
一実施例において、認証部分３４は、例えば、許可された個人に与えられたカードの磁気ストライプを読み取るカードリーダを備える。第二の作動モードが開始された後、許可された個人は、入力部分２８を使用することができる。
【００２３】
他の実施例における認証部分は、許可された個人が携帯できる装置から無線信号を受信するように構成された信号送受信器を含む。この目的のための例示的な装置は、信号を発信するのに手動で作動させる必要があるキーフォブ、自動的に信号を発信するいわゆるスマートカード、無線信号を発信可能な個人用デジタル端末、および携帯電話を含む。この記述から利益を享受する当業者であれば、特定の状況の必要条件に適合するように、上述の通信を可能とする乗客インタフェース２２および認証部分３４を構成することができよう。
【００２４】
乗客インタフェース２２の第二の作動モードのオペレーションの一例は、モニタリングオペレーションを容易にすることである。例えばビルの所有者または管理者にとってエレベータシステムの作動を監視することは望ましく、または、その必要性がある場合がある。第二の作動モードにおいて、乗客インタフェース２２は例えば表示装置３２に監視情報を表示する。このような構成によって、例えば、これまで機械室またはビル内の別の場所に位置する公知で他の表示装置を介して提供されていた種類の監視情報を提供することが可能となる。乗客インタフェース２２を介してこのような情報をビルの所有者または管理者に提供することによって、監視情報を提供するための別の装置の必要がなくなるので、コスト低減が達成される。加えて、ビルの所有者または管理者がこのような情報のために機械室またはビル内の別の場所に出向く必要がなくなるので、利便性が向上する。
【００２５】
一実施例においては、整備手順を容易にするために、乗客インタフェース２２の第二の作動モードを用いる。整備員またはサービス技術者は、種々の整備関連機能に関して、乗客インタフェース２２を用いることができる。一実施例においては、エレベータかご２６の状態、その運転モード、および動作状態を監視することが含まれる。一実施例においては、技術者または整備員が特定の乗場階において特定のかご呼びを与えることができるようにする。一実施例においては、入力／出力監視およびグループ監視機能を含む。
【００２６】
一実施例においては、整備員がエレベータかごを選択してこれを通常のシステム作動から除外し、整備員が整備手順を完了するまで、システム制御装置３０がこの特定のかごに乗客を乗せないようにする。一実施例においては、選択されたかごが通常のシステム作動から除外された場合でも、システム制御装置３０は、残りのかごを使用することができ、乗客は、乗客インタフェース２２を介して所望の行先を入力可能である。このような実施例においては、乗客インタフェース２２は同時に第一および第二のモードで有効に作動する。このような構成は、乗客向けの運行を完全に中断することなく、整備員や技術者がエレベータシステムの特定の部分に整備を行うことができるという利点を有する。
【００２７】
一実施例において、整備員は、かごドアの開閉に関して、乗客インタフェース２２を用いることができる。表示部分３２は、例えばドア開閉時間の指標を表示する。
【００２８】
一実施例において、整備員は、例えばエレベータかごを上昇および下降させることができる。表示部分３２は、このような移動に伴う階から階までの時間に関する情報を表示する。
【００２９】
一実施例において、整備員は、かご頂部に容易にアクセスできるように特定のかごを昇降路内の特定の位置に送ることができる。例えば、整備員は、選択された階における選択されたかご頂部にアクセスするために乗客インタフェース２２を用いる。整備員は、適当な認証コードを入力した後、表示装置３２に表示されたメニューから、所望のかご頂部へのアクセスに相当する適切なオペレーションコードを選択する。一実施例において、乗客インタフェース２２は整備員がかご頂部へのアクセスを希望するその階に位置している。整備員は特定のかごを選択することができるので、整備員は選択されたかごが運転休止中であることを意味する障壁をあらかじめ設置することができる。
【００３０】
乗客インタフェース２２に適宜な命令を入力すると、装置は適宜な信号をシステム制御装置３０に送る。システム制御装置３０は、通常のシステム作動パラメータから、選択されたかごを除外する。このかごが既に割り当てられていた全ての行先要求を完了したならば、システム制御装置３０は、選択されたかごがもはや乗客輸送に利用できないことを示す視覚的および聴覚的信号を出すように、選択されたかごの内部または近傍にある適当な装置を作動させる。次いでシステム制御装置３０は選択されたかごをかご頂部アクセス開始モードにし、このかごに関連する全てのボタンを使用不能にし、かごを適切な階に送る。
【００３１】
かごが適切な階に到着するとかごドアが開いて、視覚的および聴覚的信号が、かごが乗客輸送に利用できないことを知らせる。選択された時間、例えば５秒が経過した後、ドアは閉まる。次に、制御装置は、通常作動に比較して遅い速度で下降方向に移動するようにかごに命令して、かご頂部への安全なアクセスを可能にする所定の位置に到達したならば自動的に停止させる。一実施例においては、かごはかごの高さに等しい距離だけ下降するように命令される。
【００３２】
かごが下降を開始したがまだ所定の位置に到達していないときに、整備員は好ましくは昇降路ドアを公知のドアロック解除装置を用いて開ける。この時点でかごは停止する。整備員は次いである程度の時間、例えば１０秒間、昇降路ドアが開いた状態のまま待って、かごドアは閉まっているが昇降路ドアは開かれているときにかごが移動しないことを確かめる。このようにして、アクセスを行う階において昇降路ドアのロック機構の正常な作動を試験および確認することができる。
【００３３】
次に、一実施例において、整備員はかご頂部の緊急停止スイッチを「停止」位置にする。それから、昇降路ドアを閉じてロックすることができる。整備員は選択された時間、例えば１０秒間、乗場ドアが閉まった状態で待つ。この時点でかごは移動してはならない。このような手順によってかご頂部緊急停止スイッチの正常な作動が試験および確認される。この時点で整備員は２つの独立したかご制御手段を試験したことになる。
【００３４】
次に整備員は再び昇降路ドアを開けてかごが動いていないことを確かめる。かご頂部の緊急停止スイッチを「走行」位置にした後、整備員は昇降路ドアを閉じてロックすることができる。次いで制御装置３０がかごを所定の位置に移動させる手順を再開する。かごが所定の位置に到達したならば、整備員は昇降路ドアをロック解除し、かご頂部の緊急停止スイッチを「停止」位置にして、かご頂部にアクセスすることができる。
【００３５】
かごの通常運転への復帰は、整備員がかご頂部の検査スイッチを適切にセットした後でなければ起こらない。整備員は、かご頂部に乗った後、公知の技術を用いて任意の乗場階で昇降路から出る。この手順には乗客インタフェース２２をさらに操作する必要はない。
【００３６】
別の実施例においては、整備員が乗客インタフェース２２にすでに入力した命令によって所定の行先階にかごが到達した後、整備員はかごに入ってかご内の検査スイッチを作動させる。一実施例においては、この検査スイッチが通常の２つの位置の他に第三の位置を有する。この第三の位置はばねで復帰する機能を有し、したがってこの第三の位置には一時的に留まるのみである。
【００３７】
一実施例においては、整備員はかごに立ち入ってかご内検査スイッチを作動させるための選択された時間枠を与えられる。一実施例においては、２０秒が与えられる。この時間枠内に整備員がかご内検査スイッチを作動させないならば、かごは正常作動に復帰する。この時間枠内に整備員がかご内検査キースイッチを一時的に第三の位置に回したならば、整備員はキーを抜いてかごから出ることができる。このような操作に応答してシステムはドアを閉め、遅い速度で下降方向に移動するようにかごに命令する。この実施例においてはかごは所定の位置に到達したときに自動的に停止して、かご頂部への適当なアクセスを可能にする。
【００３８】
第二の作動モードの乗客インタフェース２２における少なくとも１つの入力から始まる入力に応答して、特定のかごを位置決め制御できることによって、整備員が素早くかつ確実に所望の整備作業を果たす能力が向上される。
【００３９】
一実施例においては、第二の作動モードは遠隔位置の装置との交信を容易にすることを含む。一実施例においては乗客インタフェース２２をインターネットにアクセスするのに用いることができ、したがって整備員は整備説明書、マニュアル、配線図等を含む遠隔位置のデータベースの情報にアクセスすることができる。このような構成は交換部品のオンライン発注にも有用である。修理説明書または緊急時救助説明書はビデオまたはオーディオ出力によってインタフェース装置２２に表示されるか、または乗客インタフェース２２と無線交信する携帯装置に表示されてよい。後者の例では整備員は自由に動き回って関係するエレベータシステム部品を検査しながら、必要な情報を入手することができる。
【００４０】
一実施例においては、第二のモードは乗客インタフェース２２と特定のエレベータかご内部との間において、音声通信などの緊急時応答機能を含む。これによって例えばビル管理者、整備員、または技術者がかごに閉じこめられた乗客に、状況に対応していることを伝えることができる。他の実施例においては、機械室を持たないエレベータシステム用の公知の遠隔緊急時救助技術を、乗客インタフェース２２を用いて実施することができる。
【００４１】
一実施例においては、第二の作動モードが、許可された個人が例えば表示装置３２を用いてエレベータかご内部を観察することができるような、少なくとも１つの警備関連機能を具備することを含む。これによって個人が、例えばかごドアを開ける前に状況を確認することができる。他の実施例における警備機能によって、特定のかごを特定の階に送り、ドアを開くか否か制御することによってかご内の個人の位置を管理できるようになる。
【００４２】
第二の作動モードの各種の機能を上述のように開示した。１つまたは複数のこれらの機能を特定の実施例に含むことができる。本発明から利益を享受する当業者であれば、特定の状況の要求に対して最もよく適合する機能の組み合わせを理解するであろう。さらに、この記述を読めば、当業者はその特定の状況の要求を満足するのに必要な機能を実施するように、乗客インタフェース２２およびシステム制御装置を適切に構成することができよう。
【００４３】
前述の記載は例示的なものであって、限定的なものではない。開示された実施例に対する本発明の主旨から必ずしも逸脱しない変形および改良が、当業者にとって明らかとなろう。したがって本発明に対して与えられる法的保護の範囲は、以下の請求の範囲を検討することによってのみ判定可能である。
【図面の簡単な説明】
【００４４】
【図１】図１は本発明の実施例によって設計された乗客インタフェースを含むエレベータシステムの選択された部分を概略的に示している。
【図１】
2008521729.tif 000003
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
乗客がエレベータかごの外部から所望の行先の指示を入力することができる第一のモードと、許可された個人に少なくとも１つの他の機能を提供する第二のモードと、で作動する乗客インタフェースを有するとともに、上記他の機能が、遠隔に位置するデータベースから情報を得るステップ、または遠隔に位置する部品供給源にエレベータシステム部品を発注するステップの少なくとも一方を備える、整備手順を容易にするステップを含むことを特徴とするエレベータシステムの使用に関する装置。
【請求項２】
上記乗客インタフェースが認証信号に応答して上記第二のモードを開始することを特徴とする請求項１記載のエレベータシステムの使用に関する装置。
【請求項３】
上記乗客インタフェースが上記第一のモードにおいて有用な入力部分を含み、かつ上記許可された個人が上記入力部分を用いて上記認証信号を提供することを特徴とする請求項２記載のエレベータシステムの使用に関する装置。
【請求項４】
上記認証信号がアクセスコードを有することを特徴とする請求項３記載のエレベータシステムの使用に関する装置。
【請求項５】
上記乗客インタフェースが上記認証信号を受け取るための認証部分を含むことを特徴とする請求項２記載のエレベータシステムの使用に関する装置。
【請求項６】
上記認証部分が、無線的に発信された信号を受信するための受信機、もしくは近づけられた物品をスキャニングするためのスキャナ、の少なくとも一方を有することを特徴とする請求項５記載のエレベータシステムの使用に関する装置。
【請求項７】
上記乗客インタフェースが第一の認証信号に応答して第一のレベルの第二のモードを開始し、第二の認証信号に応答して第二のレベルの第二のモードを開始することを特徴とする請求項２記載のエレベータシステムの使用に関する装置。
【請求項８】
上記他の機能が、エレベータシステムの選択された部分に関する監視情報を提供することを特徴とする請求項１記載のエレベータシステムの使用に関する装置。
【請求項９】
上記整備手順が、選択されたエレベータかごの位置を自動制御することを含むことを特徴とする請求項１記載のエレベータシステムの使用に関する装置。
【請求項１０】
上記整備手順が、かご頂部が選択された乗場階からアクセスできるように、上記選択されたエレベータかごを自動的に位置決めすることを含むことを特徴とする請求項９記載のエレベータシステムの使用に関する装置。
【請求項１１】
上記整備手順が、上記選択されたエレベータかごを通常運転から少なくとも一時的に除外することを含むことを特徴とする請求項１記載のエレベータシステムの使用に関する装置。
【請求項１２】
上記整備手順が、エレベータかごの階から階への移動に対応する時間を決定することを含むことを特徴とする請求項１記載のエレベータシステムの使用に関する装置。
【請求項１３】
上記整備手順が、エレベータかごのドアの開放または閉鎖の少なくとも一方に対応する時間を決定することを含むことを特徴とする請求項１記載のエレベータシステムの使用に関する装置。
【請求項１４】
上記他の機能が、緊急時応答機能を容易にすることを特徴とする請求項１記載のエレベータシステムの使用に関する装置。
【請求項１５】
上記緊急時応答機能が、上記乗客インタフェースと選択されたエレベータかごとの間において交信することを含むことを特徴とする請求項１４記載のエレベータシステムの使用に関する装置。
【請求項１６】
上記緊急時応答機能が、エレベータかごの移動を制御するために乗客インタフェースを用いることを特徴とする請求項１４記載のエレベータシステムの使用に関する装置。
【請求項１７】
上記他の機能が、上記乗客インタフェースを介して得られた選択されたエレベータかごの内部に関する情報に少なくとも部分的に基づいて、上記選択されたエレベータかごのドアの作動を選択的に制御することを特徴とする請求項１記載のエレベータシステムの使用に関する装置。
【請求項１８】
上記乗客インタフェースが、上記第一および上記第二のモードで同時に作動することを特徴とする請求項１記載のエレベータシステムの使用に関する装置。
【請求項１９】
上記第二のモードで用いられる発信された無線信号を受信するための受信機を含むことを特徴とする請求項１記載のエレベータシステムの使用に関する装置。
【請求項２０】
乗客に所望の行先の指示を提供するために、乗客インタフェースを上記第一のモードにおいて作動させるステップと、
許可された個人に少なくとも１つの他の機能を提供するために、乗客インタフェースを第二のモードにおいて作動させるステップと、を含むとともに、上記許可された個人が、遠隔に位置するデータベースから情報を得るステップ、または遠隔に位置する部品供給源にエレベータシステム部品を発注するステップの少なくとも一方を備える、整備手順を実施することを特徴とするエレベータシステムの行先入力用乗客インタフェースの使用方法。
【請求項２１】
上記第二のモードにおいて作動させるステップが、監視機能、緊急時応答機能、または警備機能の少なくとも１つを容易にすることを含むことを特徴とする請求項２０記載のエレベータシステムの行先入力用乗客インタフェースの使用方法。
【請求項２２】
上記第二のモードにおいて作動させるステップが、上記乗客インタフェースにおける入力に応答して選択されたエレベータかごの位置を自動的に制御することを含むことを特徴とする請求項２０記載のエレベータシステムの行先入力用乗客インタフェースの使用方法。
【請求項２３】
かご頂部に選択された乗場階からアクセスできるように、選択されたエレベータかごを自動的に位置決めすることを含むことを特徴とする請求項２２記載のエレベータシステムの行先入力用乗客インタフェースの使用方法。
【請求項２４】
上記第一および上記第二のモードを同時に作動させることを含むことを特徴とする請求項２０記載のエレベータシステムの行先入力用乗客インタフェースの使用方法。
【請求項２５】
昇降路におけるエレベータかごを所望の位置に指示する行先入力装置に対して乗客インタフェースを使用するステップと、
上記エレベータかごが所望の位置に達する前に、昇降路ドアを開くステップと、
上記昇降路ドアが開いている間に、上記エレベータかごが動いていないことを確認するステップと、
かご頂部の緊急用スイッチを停止位置にセットしてから、上記昇降路ドアを閉めるステップと、
上記かご頂部の緊急用スイッチが停止位置にある状態で、上記エレベータかごの位置を確認するために、昇降路ドアを再び開くステップと、
上記かご頂部の緊急用スイッチを走行位置にセットしてから、上記昇降路ドアを閉めて、上記エレベータかごが上記所望の位置まで進むステップと、
を備えることを特徴とするエレベータ用の整備手順の実施方法。
【請求項２６】
乗客用行先入力装置からの指示に応答して、エレベータかごの所望の位置を決定するステップと、
上記乗客用行先入力装置からの指示に応答して、上記エレベータかごを乗場階に自動的に移動させるステップと、
上記エレベータドアを開くステップと、
所定時間待機してから、
上記所定時間中にかご内検査スイッチが操作された場合は、上記所望の位置までエレベータかごを移動させるステップ、あるいは、上記所定時間中にかご内検査スイッチが操作されない場合は、エレベータかごを通常運転に戻すステップ、
を備えることを特徴とする整備中のエレベータかごの制御方法。
【請求項２７】
上記かご内検査スイッチが、３つの位置を備えるとともに、上記所定時間中にかご内検査スイッチが３つの位置うちの第３の位置に操作されるかどうか判定するステップを含むことを特徴とする請求項２６に記載の整備中のエレベータかごの制御方法。
【国際調査報告】
2008521729.tif 000004